(57)【要約】      （修正有）【課題】高ズーム比で、しかも全ズーム範囲にわたり高い光学性能が得られるズームレンズを得る。【解決手段】物体側から像側へ順に、正、負、負、正、正の屈折力の第１〜第５レンズ群を有し、開口部よりも像側に配置されている少なくとも２つのレンズ群を含む少なくとも４つのレンズ群がズーミングに際して移動し、少なくとも４つのレンズ群のうち、互いに隣接するレンズ群Ｃ１とレンズ群Ｃ２は、ズーミングに際して、互いに異なった軌跡で同方向に、かつ、双方の間隔が広角端と望遠端以外のズーム位置において最大となるように移動しており、開口部よりも像側に配置された少なくとも２つのレンズ群のうち互いに隣接するレンズ群Ｄ１とレンズ群Ｄ２の少なくとも一方は、広角端に比べて望遠端において、物体側へ、レンズ群Ｄ１とレンズ群Ｄ２のレンズ群間隔が広角端に比べ望遠端において広くなるように移動すること。【選択図】図１
2014010282.tif 000002
【特許請求の範囲】
【請求項１】
物体側から像側へ順に、正の屈折力の第１レンズ群、負の屈折力の第２レンズ群、負の屈折力の第３レンズ群、正の屈折力の第４レンズ群、正の屈折力の第５レンズ群を有し、広角端において軸上最大光束径を決定している開口部よりも像側に配置されている少なくとも２つのレンズ群を含む少なくとも４つのレンズ群がズーミングに際して移動するズームレンズにおいて、
前記少なくとも４つのレンズ群のうち、互いに隣接するレンズ群Ｃ１とレンズ群Ｃ２は、ズーミングに際し、広角端での位置を基準としたとき望遠端において、互いに異なった軌跡で同方向に、かつ、双方の間隔が広角端と望遠端以外のズーム位置において最大となるように移動しており、前記開口部よりも像側に配置された少なくとも２つのレンズ群のうち互いに隣接するレンズ群Ｄ１とレンズ群Ｄ２の少なくとも一方は、広角端に比べて望遠端において、物体側へ、前記レンズ群Ｄ１と前記レンズ群Ｄ２のレンズ群間隔が広角端に比べ望遠端において広くなるように移動することを特徴とするズームレンズ。
【請求項２】
前記レンズ群Ｄ１とレンズ群Ｄ２のうち一方のレンズ群は、最も像側に配置されていることを特徴とする請求項１に記載のズームレンズ。
【請求項３】
広角端から望遠端へのズーミングに際して、前記第１レンズ群は不動で、前記第２レンズ群は像側へ移動し、前記第３レンズ群と前記第４レンズ群は物体側に凸状の軌跡で、広角端に比べて望遠端において物体側に位置するように移動し、前記第５レンズ群は広角端での位置を基準としたときに望遠端では物体側に位置するように移動し、前記開口部は、前記第４レンズ群よりも物体側に配置されており、前記レンズ群Ｃ１は前記第３レンズ群に、前記レンズ群Ｃ２と前記レンズ群Ｄ１は前記第４レンズ群に、前記レンズ群Ｄ２は前記第５レンズ群に対応することを特徴とする請求項１又は２に記載のズームレンズ。
【請求項４】
前記第５レンズ群の像側に、正の屈折力の第６レンズ群を有し、広角端から望遠端へのズーミングに際して、前記第１レンズ群は不動で、前記第２レンズ群は像側へ移動し、前記第３レンズ群と前記第４レンズ群は物体側に凸状の軌跡で、広角端に比べて望遠端において物体側に位置するように移動し、前記第５レンズ群は広角端での位置を基準としたときに望遠端において物体側に位置するように移動し、前記第６レンズ群は前記第５レンズ群との間隔を変化させながら移動し、前記開口部は前記第４レンズ群よりも物体側に配置されており、前記レンズ群Ｃ１は前記第３レンズ群に、前記レンズ群Ｃ２は前記第４レンズ群に、前記レンズ群Ｄ１は前記第５レンズ群に、前記レンズ群Ｄ２は前記第６レンズ群に対応することを特徴とする請求項１又は２に記載のズームレンズ。
【請求項５】
広角端から望遠端までのズーミングにおける前記レンズ群Ｄ１の移動量をＭＤ１、広角端から望遠端までのズーミングにおける前記レンズ群Ｄ２の最大移動量をＭＤ２、広角端から望遠端までのズーミングに際しての移動量が最大のレンズ群の移動量をＭ２とするとき、
１．２＜│ＭＤ１／ＭＤ２│＜２０．０
０．０２＜│ＭＤ１／Ｍ２│＜０．５０
なる条件式を満足することを特徴とする請求項１乃至４のいずれか１項に記載のズームレンズ。
【請求項６】
ズーミング中における前記レンズ群Ｃ１と前記レンズ群Ｃ２のレンズ群間隔の最大値をＭａｘＣ１２、広角端における前記レンズ群Ｃ１と前記レンズ群Ｃ２のレンズ群間隔をＣ１２ｗ、望遠端における前記レンズ群Ｃ１と前記レンズ群Ｃ２のレンズ群間隔をＣ１２ｔ、広角端から望遠端までのズーミングにおける前記レンズ群Ｃ１の移動量をＭＣ１、広角端から望遠端までのズーミングにおける前記レンズ群Ｃ２の移動量をＭＣ２、広角端から望遠端までのズーミングに際しての移動量が最大のレンズ群の移動量をＭ２とするとき、
０．０５＜│ＭａｘＣ１２／（Ｍ２×Ｃ１２ｗ／Ｃ１２ｔ）│＜０．５０
０．０１０＜│ＭＣ１／Ｍ２│＜０．２００
０．０１０＜│ＭＣ２／Ｍ２│＜０．２００
なる条件式を満足することを特徴とする請求項１乃至５のいずれか１項に記載のズームレンズ。
【請求項７】
前記レンズ群Ｃ１の屈折力をφＣ１、広角端における前記レンズ群Ｃ１と前記レンズ群Ｃ２の合成屈折力をφＣ１２とするとき、
０．８＜│φＣ１／φＣ１２│＜３．０
なる条件式を満足することを特徴とする請求項１乃至６のいずれか１項に記載のズームレンズ。
【請求項８】
ズーミングに際して移動する前記少なくとも４つのレンズ群のうち、少なくとも１つのレンズ群は広角端から望遠端へのズーミングに際して減倍作用をすることを特徴とする請求項１乃至７のいずれか１項に記載のズームレンズ。
【請求項９】
広角端から望遠端へのズーミングに際して、最も大きな減倍作用を有するレンズ群の広角端と望遠端における横倍率を各々βｗｄ、βＴｄ、広角端における前記レンズ群Ｃ１、前記レンズ群Ｃ２、前記レンズ群Ｄ１、前記レンズ群Ｄ２の横倍率をそれぞれβｗＣ１、βｗＣ２、βｗＤ１、βｗＤ２、望遠端における前記レンズ群Ｃ１、前記レンズ群Ｃ２、前記レンズ群Ｄ１、前記レンズ群Ｄ２の横倍率をそれぞれβＴＣ１、βＴＣ２、βＴＤ１、βＴＤ２、前記ズームレンズのズーム比をＺとするとき、
０．００＜│βＴｄ／（βｗｄ×Ｚ）│＜０．２０
０．０５＜│βＴＣ１／（βｗＣ１×Ｚ）│＜０．５０
０．０５＜│βＴＣ２／（βｗＣ２×Ｚ）│
０．００＜│βＴＤ１／（βｗＤ１×Ｚ）│＜０．５０
０．００＜│βＴＤ２／（βｗＤ２×Ｚ）│＜０．５０
なる条件式を満足することを特徴とする請求項１乃至７のいずれか１項に記載のズームレンズ。
【請求項１０】
請求項１乃至８のいずれか１項に記載のズームレンズと、該ズームレンズによって形成された像を受光する固体撮像素子とを有することを特徴とする撮像装置。
【発明の詳細な説明】
【技術分野】
【０００１】
本発明はズームレンズ及びそれを有する撮像装置に関し、例えばビデオカメラ、電子スチルカメラ、放送用カメラ、監視カメラ等のように固体撮像素子を用いた撮像装置、或いは銀塩フィルムを用いたカメラ等の撮像装置に好適なものである。
【背景技術】
【０００２】
近年、ハイビジョン放送やＨＤ規格で動画を撮影できるビデオカメラや放送用テレビカメラ等の撮像装置が普及し、撮像装置からの出力映像は高画質化されている。これらの撮像装置に使用されるズームレンズは、撮像素子からの画素数の増加や画素の高密度化によって、それに対応した高い光学性能を有することが要望されている。従来、放送用テレビカメラに用いられているズームレンズとして、最も物体側に正の屈折力のレンズ群が配置されたポジティブリード型のズームレンズが知られている（特許文献１、２）。
【０００３】
特許文献１のズームレンズは、物体側から像側へ順に、正の屈折力の第１レンズ群、変倍及び変倍に伴う像面変動を補正するために相互に関係を持って移動する第２レンズ群〜第４レンズ群を有する。更にズーミングに際して不動で結像作用をする正の屈折力の第５レンズ群を有する５群ズームレンズよりなっている。そして開口絞りを第４レンズ群と第５レンズ群の間に配置している。特許文献２は物体側から像側へ順に、正、負、負、正、正の屈折力の第１〜第６レンズ群よりなり、ズーミングに際して第１〜第５レンズ群又は全てのレンズ群を移動させたズームレンズを開示している。
【先行技術文献】
【特許文献】
【０００４】
【特許文献１】特開平１−１２６６１４号公報
【特許文献２】特開平６−１９４５７４号公報
【発明の概要】
【発明が解決しようとする課題】
【０００５】
近年、ＴＶカメラ等の撮像装置では画素数の多い撮像素子が用いられている。それに用いられるズームレンズには、スーパーハイビジョン相当の高画質が得られることが要望されている。またビデオカメラやデジタルスチルカメラ等においても画素数の多い撮像素子が用いられ、これらに用いられるズームレンズには高い光学性能を有することが要望されている。ポジティブリード型のズームレンズにおいて、広画角、高ズーム比で全ズーム範囲にわたり高い光学性能を得るには、ズームタイプや各レンズ群のレンズ構成を適切に設定することが重要になってくる。
【０００６】
一般に全ズーム範囲にわたり高い光学性能を得るには、全ズーム範囲にわたり諸収差が良好に補正されていること、特に像面湾曲や非点収差が良好に補正されていることが重要になってくる。例えば前述したポジティブリード型の５群ズームレンズにおいて、高ズーム比化を図りつつ、全ズーム範囲にわたり高い光学性能を得るには、ズーミングに際して移動させるレンズ群や、その移動条件等を適切に構成することが重要になってくる。このときの構成が不適切であると、高ズーム比で全ズーム範囲にわたり高い光学性能を有するズームレンズを得るのが難しくなってくる。
【０００７】
特許文献１に開示されたズームレンズはズーミングに際して移動するレンズ群が開口絞りよりも物体側の第２レンズ群〜第４レンズ群のみである。このため、ズーミングに際して像面湾曲や非点収差の変動が多く、これらを補正することが難しい。また、特許文献２に開示されたズームレンズは、ズーミングに際して移動するレンズ群を多くすることで、広画角化及び高ズーム比化を達成している。しかしながら、ズーミングに際して像面湾曲や非点収差の変動が多く、これらを良好に補正するのが難しい。
【０００８】
本発明は、高ズーム比で、しかも全ズーム範囲にわたり高い光学性能が得られるズームレンズ及びそれを有する撮像装置の提供を目的とする。
【課題を解決するための手段】
【０００９】
本発明のズームレンズは、物体側から像側へ順に、正の屈折力の第１レンズ群、負の屈折力の第２レンズ群、負の屈折力の第３レンズ群、正の屈折力の第４レンズ群、正の屈折力の第５レンズ群を有し、広角端において軸上最大光束径を決定している開口部よりも像側に配置されている少なくとも２つのレンズ群を含む少なくとも４つのレンズ群がズーミングに際して移動するズームレンズにおいて、前記少なくとも４つのレンズ群のうち、互いに隣接するレンズ群Ｃ１とレンズ群Ｃ２は、ズーミングに際し、広角端での位置を基準としたとき望遠端において、互いに異なった軌跡で同方向に、かつ、双方の間隔が広角端と望遠端以外のズーム位置において最大となるように移動しており、前記開口部よりも像側に配置された少なくとも２つのレンズ群のうち互いに隣接するレンズ群Ｄ１とレンズ群Ｄ２の少なくとも一方は、広角端に比べて望遠端において、物体側へ、前記レンズ群Ｄ１と前記レンズ群Ｄ２のレンズ群間隔が広角端に比べ望遠端において広くなるように移動することを特徴としている。
【発明の効果】
【００１０】
本発明によれば、高ズーム比で、しかも全ズーム範囲にわたり高い光学性能が得られるズームレンズが得られる。
【図面の簡単な説明】
【００１１】
【図１】（Ａ）、（Ｂ）は本発明の実施例１のズームレンズの広角端におけるレンズ断面図と各レンズ群の主点位置を基準としたズーム軌跡の説明図
【図２】（Ａ）、（Ｂ）、（Ｃ）はそれぞれ実施例１のズームレンズの広角端、中間のズーム位置、望遠端における収差図
【図３】（Ａ）、（Ｂ）は本発明の実施例２のズームレンズの広角端におけるレンズ断面図と各レンズ群の主点位置を基準としたズーム軌跡の説明図
【図４】（Ａ）、（Ｂ）、（Ｃ）はそれぞれ実施例２のズームレンズの広角端、中間のズーム位置、望遠端における収差図
【図５】（Ａ）、（Ｂ）は本発明の実施例３のズームレンズの広角端におけるレンズ断面図と各レンズ群の主点位置を基準としたズーム軌跡の説明図
【図６】（Ａ）、（Ｂ）、（Ｃ）はそれぞれ実施例３のズームレンズの広角端、中間のズーム位置、望遠端における収差図
【図７】（Ａ）、（Ｂ）は本発明の実施例４のズームレンズの広角端におけるレンズ断面図と各レンズ群の主点位置を基準としたズーム軌跡の説明図
【図８】（Ａ）、（Ｂ）、（Ｃ）はそれぞれ実施例４のズームレンズの広角端、中間のズーム位置、望遠端における収差図
【図９】本発明のズームレンズを有する撮像装置の要部概略図である。
【発明を実施するための形態】
【００１２】
以下、本発明のズームレンズ及びそれを有する撮像装置について説明する。本発明者は、主な変倍分担が変倍部とリレー部で構成されるズームレンズにおいて、リレー部全体として大きな変倍分担を与えない範囲で、ズーミングに際してリレー部内の２以上のレンズ群を移動させることを考えた。そしてこのリレー部内の移動するレンズ群の間隔変化によって、広角端や望遠端だけでなくそれ以外のズーム範囲において残留する諸収差を良好に補正することができることを見出した。
【００１３】
本発明のズームレンズの具体的なレンズ構成は次のとおりである。物体側から像側へ順に、正の屈折力の第１レンズ群、負の屈折力の第２レンズ群、負の屈折力の第３レンズ群、正の屈折力の第４レンズ群、正の屈折力の第５レンズ群とを有する。ズーミングに際して少なくとも４つのレンズ群が移動する。このときの少なくとも４つのレンズ群には広角端において軸上最大光束径を決定している開口部ＳＰよりも像側のレンズ群が含まれる。また少なくとも２つのレンズ群が含まれる。また少なくとも４つのレンズ群のうち、互いに隣接する２つのレンズ群をレンズ群Ｃ１、レンズ群Ｃ２とする。
【００１４】
このときレンズ群Ｃ１とレンズ群Ｃ２は、ズーミングの際の移動軌跡の形状は異なるが、広角端での位置を基準としたときに、望遠端においてはいずれも同方向へ移動する。且つ互いのレンズ群間隔が広角端と望遠端以外のズーム位置において最大となるような軌跡で移動する。そして少なくとも４つのレンズ群のうち、開口部ＳＰよりも像側に配置された互いに隣接する２つのレンズ群をレンズ君Ｄ１、レンズ群Ｄ２とする。
【００１５】
このときレンズ群Ｄ１とレンズ群Ｄ２の少なくとも一方は、広角端での位置を基準としたときに、望遠端においては物体側へ移動する。そしてレンズ群Ｄ１とレンズ群Ｄ２との双方のレンズ群間隔が広角端に比べて望遠端において広くなるように移動する。
【００１６】
本発明のズームレンズは以上の構成を特徴としている。図１（Ａ）、（Ｂ）は本発明の実施例１のズームレンズの広角端（短焦点距離端）におけるレンズ断面図と各レンズ群のズーム軌跡の説明図である。図２（Ａ）、（Ｂ）、（Ｃ）はそれぞれ実施例１のズームレンズの広角端、中間のズーム位置、望遠端（長焦点距離端）における収差図である。
図３（Ａ）、（Ｂ）は本発明の実施例２のズームレンズの広角端におけるレンズ断面図と各レンズ群のズーム軌跡の説明図である。図４（Ａ）、（Ｂ）、（Ｃ）はそれぞれ実施例２のズームレンズの広角端、中間のズーム位置、望遠端における収差図である。図５（Ａ）、（Ｂ）は本発明の実施例３のズームレンズの広角端におけるレンズ断面図と各レンズ群のズーム軌跡の説明図である。図６（Ａ）、（Ｂ）、（Ｃ）はそれぞれ実施例３のズームレンズの広角端、中間のズーム位置、望遠端における収差図である。
【００１７】
図７（Ａ）、（Ｂ）は本発明の実施例４のズームレンズの広角端におけるレンズ断面図と各レンズ群のズーム軌跡の説明図である。図８（Ａ）、（Ｂ）、（Ｃ）はそれぞれ実施例４のズームレンズの広角端、中間のズーム位置、望遠端における収差図である。レンズ断面図、ズーム軌跡の説明図、収差図は物体距離が無限遠のときを示す。ズーム軌跡の説明図では、各レンズ群の主点位置を基準として描いている。
【００１８】
図９は本発明のズームレンズを備える例としてＴＶカメラ（撮像装置）に適用したときの要部概略図である、各実施例のズームレンズはＴＶカメラ、ビデオカメラ、デジタルカメラそして銀塩フィルムカメラ等の撮像装置に用いられる撮影レンズ系である。レンズ断面図において、左方が被写体側（物体側）（前方）で、右方が像側（後方）である。  各レンズ断面図において、Ｌ０はズームレンズである。ＳＰは広角端において軸上最大光束径を決定している開口部（開口絞り）である。
ここで「軸上最大光束径を決定している開口部」とは、物体距離が無限遠にあるときの軸上光束（主光線が光軸上を進む光束）において、Ｆナンバーを決定している開口部のことを指す。一般的には開口絞りがその開口部ＳＰの役割を担うことが多いが、機構上の開口絞りが無いズームレンズにおいては、鏡筒の一部分や特定のレンズの外径で決める場合もある。
【００１９】
その時は前記鏡筒の一部分やレンズの外径を軸上最大光束径を決定している開口部ＳＰとする。Ｌ１は正の屈折力の第１レンズ群、Ｌ２は負の屈折力の第２レンズ群、Ｌ３は負の屈折力の第３レンズ群である。Ｌ４は正の屈折力の第４レンズ群である、Ｌ５は正の屈折力の第５レンズ群、Ｌ６は正の屈折力の第６レンズ群である。Ｇは光学フィルター、フェースプレート、水晶ローパスフィルター、赤外カットフィルター、色分解プリズム等に相当する光学ブロックである。
【００２０】
ＩＰは像面であり、ビデオカメラやデジタルカメラに適用する際には像を受光するＣＣＤセンサやＣＭＯＳセンサ等の固体撮像素子（光電変換素子）の撮像面が、銀塩フィルム用カメラに適用する際にはフィルム面に相当する。またプロジェクター等の画像投影装置に適用する際には液晶パネル等の画像表示素子に相当する。矢印は広角端から望遠端へのズーミングに際しての各レンズ群の移動軌跡と無限遠物体から近距離物体へフォーカスするときの移動方向を示している。
【００２１】
収差図において、ｄ、ｇは順に、ｄ線、ｇ線である。Ｍ、Ｓは各々メリディオナル像面、サジタル像面。ＦｎｏはＦナンバー、ωは半画角である。収差図において、球面収差は０．００５ｍｍ、非点収差は０．００５ｍｍ、歪曲は５％、倍率色収差は０．００１ｍｍのスケールで描かれている。尚、以下の各実施例において広角端と望遠端はズーミングに際して移動するレンズ群が機構上光軸上を移動可能な範囲の両端に位置したときのズーム位置をいう。
【００２２】
本発明のズームレンズの特徴について説明する。一般に、ポジティブリード型のズームレンズとして、物体側から像側へ順に、正、負、負、正、正の屈折力のレンズ群よりなるズームレンズにおいて、高画質化を図るには像面湾曲と非点収差を良好に補正することが重要になってくる。ズームレンズでは多くの場合、広角端と望遠端での収差補正と、その間のズーム位置において収差補正を行っている。
【００２３】
ズーミングに際して複数のレンズ群を変倍レンズ群として移動させる多群移動タイプのズームレンズにおいて、ズーム効率を優先した設計を行うには、各レンズ群に適切な変倍分担を行い、適切なパワーをつけたレンズ群を移動させるのが良い。これによれば、１つの変倍レンズ群だけを動かすよりも短い移動量で同じ変倍比を得ることができる。このため、ズームレンズ全系の小型化が容易となる。また少ない移動量で、より高い変倍比が得られる。
【００２４】
スーパーハイビジョンを対象とする高い画質を得るには、像面湾曲と非点収差が結像性能に大きな影響を与えるため、これらを良好に補正するのが重要になってくる。これらの収差補正が不十分であるとズーム全域で高い空間周波数を得るのが難しくなる。収差低減を単に狙うのであれば、各レンズ群のパワーを緩くして、変倍レンズ群の移動量を増やせばよい。しかしながらこの方法では変倍レンズ群のストローク量が増加し、ズームレンズ全系が大型化してくる。
【００２５】
本発明は、全系の小型化及び高ズーム比化を図りつつ、諸収差の補正が容易なズームタイプ及びレンズ構成を有するズームレンズを得ることを特徴としている。
【００２６】
次に本発明の各実施例のズームレンズの特徴について各図を参照して説明する。各実施例のズームレンズＬ０は、物体側から像側へ順に、正の屈折力の第１レンズ群Ｌ１と、負の屈折力の第２レンズ群Ｌ２と、負の屈折力の第３レンズ群Ｌ３と、正の屈折力の第４レンズ群Ｌ４と、正の屈折力の第５レンズ群Ｌ５を有している。また第５レンズ群Ｌ５の像側に正の屈折力の第６レンズ群Ｌ６を有していても良い。
【００２７】
各実施例では、最も像側のレンズ群を正の屈折力のレンズ群より構成することにより、像側のレンズ群に入射する軸外主光線の入射高さを低くしている。こうすることで像側のレンズ群の外径（有効径）を小さくして、像面湾曲と非点収差の発生を軽減している。そしてズーミングに際して少なくとも４つのレンズ群を移動させている。また広角端において軸上最大光束径を決定している開口部ＳＰよりも像側のレンズ群のうち、少なくとも２つのレンズ群がズーミングに際して移動している（ここで２つのレンズ群は開口部ＳＰがレンズ群中にある場合はそのレンズ群も含む）。
【００２８】
各実施例のズームレンズＬ０はズーミングに際して互いに隣接し、移動する２つのレンズ群Ｃ１とレンズ群Ｃ２を有している。レンズ群Ｃ１とレンズ群Ｃ２は移動軌跡の形状は異なるが、広角端での位置を基準としたときに、いずれも望遠端においては同じ方向へ移動する。そしてレンズ群Ｃ１とレンズ群Ｃ２は、互いのレンズ群間隔が広角端と望遠端以外のズーム位置において最大となるような軌跡で駆動する。
【００２９】
このように広角端から望遠端へのズーミングに際してレンズ群Ｃ１とレンズ群Ｃ２を同じ方向に移動させて、広角端から望遠端への変倍機能として、レンズ群Ｃ１とレンズ群Ｃ２に同じ効果を持たせている。そして異なる軌跡で移動させることで、双方に収差補正の機能を持たせている。特に広角端と望遠端以外のズーム位置でレンズ群間隔を広げることで、レンズ群Ｃ１に入射する軸上光線の入射高さとレンズ群Ｃ２に入射する軸上光線の入射高さがズーミング中で変化するようにしている。
【００３０】
これにより残留球面収差を削減している。また像面湾曲も同様にレンズ群Ｃ２に入射する軸外主光線の入射高さを大きく変えて、レンズ群Ｃ１とレンズ群Ｃ２のレンズ群間の非点隔差のバランスを取って像面湾曲を補正している。
【００３１】
更に各実施例では開口部ＳＰよりも像側に、ズーミングに際して移動する互いに隣接したレンズ群Ｄ１とレンズ群Ｄ２を有している。そしてレンズ群Ｄ１・レンズ群Ｄ２の少なくとも一方は、広角端での位置を基準としたときに、望遠端においては物体側へ移動している。このときレンズ群Ｄ１とレンズ群Ｄ２とのレンズ群間隔が広角端に比べて望遠端において広くなるように移動する。ズーミングに際してレンズ群Ｄ１とレンズ群Ｄ２をこのように移動させることで、主にレンズ群Ｄ１とレンズ群Ｄ２内を通る軸外主光線の入射高さをズーミング中に変化させている。
【００３２】
広角端と望遠端において、第１レンズ群Ｌ１と第２レンズ群Ｌ２で像面湾曲量が同程度になるように補正しているが、少なからずの差があり多少残留する。特に広角端では望遠端よりも軸外主光線が第１レンズ群Ｌ１と第２レンズ群Ｌ２でレンズの周辺領域を通過する。このため、広角端では望遠端よりも像面湾曲や非点収差が多く残留する。そこでこれらを補正するためにレンズ群Ｄ１とレンズ群Ｄ２を開口部ＳＰよりも像側に配置して、レンズ群Ｄ１とレンズ群Ｄ２の両方で広角端における残留した像面湾曲と非点収差を補正するようにしている。
【００３３】
そして望遠端では広角端に比べレンズ群Ｄ１と、レンズ群Ｄ２を物体側へ移動させることで、広角端に比べ望遠端において開口部ＳＰに近づけている。こうすることで望遠端での（特にレンズ群Ｄ１の）軸外主光線の入射高さを広角端よりも低くしている。これにより望遠端においてレンズ群Ｄ１とレンズ群Ｄ２の合計の像面湾曲と非点収差の発生量を低減させている。
【００３４】
以上のようにレンズ群Ｄ１とレンズ群Ｄ２を移動させることで、広角端における像面湾曲と非点収差の補正不足や望遠端における像面湾曲と非点収差の過補正を防いでいる。これにより、広角端と望遠端の両方で像面湾曲と非点収差を削減している。
【００３５】
以上のようにズーミングに際してレンズ群Ｃ１、レンズ群Ｃ２、レンズ群Ｄ１、レンズ群Ｄ２を変倍目的のみではなく、レンズ群の間隔変化で主光線の入射高さを変え、収差への寄与量をズーム位置で微小に変えるように移動させている。レンズ群Ｃ１、レンズ群Ｃ２の関係から、共通の変倍機能を持たせながら、広角端と望遠端以外でのズーム位置で残留する収差を削減している。またレンズ群Ｄ１、レンズ群Ｄ２の移動関係から、広角端と望遠端における収差を削減してくる。
【００３６】
以上の如く構成することにより全系の小型化を図りつつ、ズーム全域において像面湾曲と非点収差を低減させて高画質な画像を得ている。
【００３７】
以上のような構成とすることで本発明の目的とするズームレンズは得られるが、更に好ましくは次に述べる構成と条件式のうち少なくとも１つを満足するのが良く、これによれば更なる高い光学性能のズームレンズが得られる。
【００３８】
レンズ群Ｄ２は全系の中でも最も像側に配置するのが良い。そうすることで、レンズ群Ｄ１も広角端においてより像面に近い位置に配置することができる。レンズ群Ｄ１とレンズ群Ｄ２が広角端においてより像面に近い位置に配置できれば、軸外主光線がレンズ群Ｄ１とレンズ群Ｄ２の周辺を通るようにすることができる。このため広角端において第１レンズ群Ｌ１や第２レンズ群Ｌ２で残留する像面湾曲と非点収差をレンズ群Ｄ１とレンズ群Ｄ２の両方でより効果的に補正することが容易となる。
【００３９】
また更に好ましくは、広角端から望遠端へのズーミングに際して、第１レンズ群Ｌ１は不動で、第２レンズ群Ｌ２は像側へ移動することが好ましい。そして第３レンズ群Ｌ３と第４レンズ群Ｌ４はいずれも物体側に凸状の軌跡で移動し、かつ広角端に比べて望遠端において物体側へ移動することが好ましい。更に第５レンズ群Ｌ５は広角端に比べて望遠端において物体側へ移動することが好ましい。
【００４０】
各実施例では物体側から像側へ順に、正、負、負、正、正の屈折力の第１レンズ群Ｌ１乃至第５レンズ群Ｌ５を有するズームレンズにおいて、広角端から望遠端へのズーミングに際し、負の屈折力の第２レンズ群Ｌ２を像側へ移動させる。これにより、第２レンズ群Ｌ２を主変倍レンズ群としての役割を持たせている。そして負の屈折力の第３レンズ群Ｌ３には変倍に際して生ずる像面変動の補償を行うコンペンセータとしての役割を持たせている。こうすることでレンズ径が比較的大きくなりやすい第１レンズ群Ｌ１を移動させること無く変倍を行っている。
【００４１】
またレンズ群Ｃ１を第３レンズ群Ｌ３に、レンズ群Ｃ２とレンズ群Ｄ１を第４レンズ群Ｌ４に対応させて、正の屈折力の第４レンズ群Ｌ４を第３レンズ群Ｌ３と同じように物体側に凸状の軌跡で移動させることが好ましい。こうすることで、ズーミングに際して第３レンズ群Ｌ３で発生した球面収差や像面湾曲を第４レンズ群Ｌ４で補正することが容易になる。また広角端に比べて望遠端において、第３レンズ群Ｌ３と第４レンズ群Ｌ４が物体側へ移動することで、広角端と望遠端での光線の通過経路を変化させることができる。
【００４２】
そうすることで、第２レンズ群Ｌ２において広角端で発生した像面湾曲と望遠端で発生した球面収差の双方を、第３レンズ群Ｌ３と第４レンズ群Ｌ４を用いてバランスよく補正することが容易となる。
【００４３】
またレンズ群Ｄ２を第５レンズ群Ｌ５に対応させて、第５レンズ群Ｌ５を広角端に比べて望遠端において物体側へ移動することが好ましい。こうすることで望遠端において軸外主光線の入射高さを低くできるため、第５レンズ群Ｌ５で発生する像面湾曲と非点収差量を低減することができる。またズーミングに際して第５レンズ群Ｌ５を移動することで、第４レンズ群Ｌ４で発生した像面湾曲や非点収差も各ズーム位置ごとに第５レンズ群Ｌ５にて補正するのが容易になる。
【００４４】
そして開口絞りＳＰを第４レンズ群Ｌ４よりも物体側に配置することが好ましい。こうすることで第１レンズ群Ｌ１のレンズ径を比較的小さくできるので、第１レンズ群Ｌ１で発生する像面湾曲と非点収差を更に低減するのが容易になる。
【００４５】
そして更に好ましくは、第５レンズ群Ｌ５の像側に正の屈折力の第６レンズ群を配置するのが良い。そしてレンズ群Ｃ１を第３レンズ群Ｌ３に、レンズ群Ｃ２を第４レンズ群Ｌ４に、レンズ群Ｄ１を第５レンズ群Ｌ５に、レンズ群Ｄ２を第６レンズ群Ｌ６に対応させることが好ましい。こうすることで上述では第４レンズ群Ｌ４がレンズ群Ｃ２とレンズ群Ｄ１を兼ねている状態であったが、第６レンズ群Ｌ６を有することで、レンズ群Ｄ１の役割を第５レンズ群Ｌ５に分担することができる。
【００４６】
また第６レンズ群Ｌ６に正の屈折力より構成することで、第５レンズ群Ｌ５の正の屈折力を一部分担させることができる。そうすると第５レンズ群Ｌ５の屈折力を緩めることが容易となりレンズ群を構成するレンズそれぞれの屈折力を緩める（曲率半径を大きくする）ことができる。これによりレンズ周辺を通る軸外主光線のレンズへの入射角度や屈折角度が緩められ、像面湾曲と非点収差の発生量を更に低減することが容易になる。
【００４７】
そしてズーミングに際して移動する少なくとも４つのレンズ群のうち、少なくとも１つのレンズ群は主に収差補正のために移動し、変倍分担としては減倍作用を有していることが好ましい。ここで減倍とは、広角端におけるレンズ群の横倍率βｗと望遠端でのそのレンズ群の横倍率βＴの絶対値の比│βＴ／βｗ│が１未満である事を指す。
【００４８】
一般的に多群移動タイプのズームレンズにおいてコンパクト及び軽量化を図るには、各レンズ群が所望のズーム比を達成するために効率的に移動し、各レンズ群が増倍作用を有することが好ましい。よって移動するレンズ群の中に減倍作用を有するレンズ群があると、ズーム効率が低下し、減倍分をカバーするために他のレンズ群で増倍量を増やす必要がある。しかしながら、ズーム効率を優先した移動方法では収差が残存してしまう。
【００４９】
そこで、少なくとも４つのレンズ群のうち、少なくとも１つのレンズ群は減倍作用を有するレンズ群となるように配置している。これによってズーム効率を上げるためではなく収差補正を効果的に行っている。
【００５０】
以上のように各実施例によれば全ズーム域に渡って像面湾曲と非点収差を補正し、高い光学性能を持ったズームレンズが得られる。
【００５１】
各実施例において更に好ましくは次の条件式を満足することが良く、それによれば更に高画質なズームレンズが得られる。広角端から望遠端までのズーミングにおけるレンズ群Ｄ１の移動量をＭＤ１とする。「広角端から望遠端までのズーミングにおける移動量」とは、広角端と望遠端でのレンズ群の変位量のことを指す。具体的には、広角端でのレンズ群Ｄ１の最も物体側のレンズ面と像面間の距離と、同じく望遠端でのレンズ群Ｄ１の最も物体側のレンズ面と像面間の距離との差分のことである。
【００５２】
広角端から望遠端までのズーミングにおけるレンズ群Ｄ２の最大移動量をＭＤ２とする。ここで「広角端から望遠端までのズーミングにおける最大移動量」とは、広角端から望遠端へかけてレンズ群Ｄ２が移動する際に、最も物体側（もしくは像側）から最も像側（もしくは物体側）に移動したズーム位置での変位量のことである。
【００５３】
広角端から望遠端までのズーミングにおける各レンズ群の移動量が最大のレンズ群の移動量をＭ２とする。広角端から望遠端までのズーミングにおけるレンズ群Ｃ１の移動量をＭＣ１、広角端から望遠端までのズーミングにおけるレンズ群Ｃ２の移動量をＭＣ２とする。
【００５４】
広角端におけるレンズ群Ｃ１とレンズ群Ｃ２のレンズ群間隔をＣ１２ｗとする。望遠端におけるレンズ群Ｃ１とレンズ群Ｃ２のレンズ群間隔をＣ１２ｔとする。ズーミングに際してのレンズ群Ｃ１とレンズ群Ｃ２のレンズ群間隔の最大値をＭａｘＣ１２とする。レンズ群Ｃ１の屈折力をφＣ１とする。レンズ群Ｃ１とレンズ群Ｃ２の合成屈折力をφＣ１２とする。広角端から望遠端へのズーミングに際して最も大きな減倍作用をするレンズ群の広角端と望遠端における横倍率を各々βｗｄ、βＴｄとする。
【００５５】
また広角端におけるレンズ群Ｃ１、レンズ群Ｃ２、レンズ群Ｄ１、レンズ群Ｄ２の横倍率をそれぞれβｗＣ１、βｗＣ２、βｗＤ１、βｗＤ２とする。望遠端におけるレンズ群Ｃ１、レンズ群Ｃ２、レンズ群Ｄ１、レンズ群Ｄ２の横倍率をそれぞれβＴＣ１、βＴＣ２、βＴＤ１、βＴＤ２する。ズーム比をＺとする。このとき、以下の条件式のうち１以上を満足するのが良い。
【００５６】
１．２＜│ＭＤ１／ＭＤ２│＜２０．０                  ‥‥‥（１）
０．０２＜│ＭＤ１／Ｍ２│＜  ０．５０                ‥‥‥（２）
０．０５＜│ＭａｘＣ１２／（Ｍ２×Ｃ１２ｗ／Ｃ１２ｔ）│＜０．５０
‥‥‥（３）
０．０１０＜│ＭＣ１／Ｍ２│＜０．２００              ‥‥‥（４）
０．０１０＜│ＭＣ２／Ｍ２│＜０．２００              ‥‥‥（５）
０．８＜│φＣ１／φＣ１２│＜３．０                  ‥‥‥（６）
０．００＜│βＴｄ／（βｗｄ×Ｚ）│＜０．２０        ‥‥‥（７）
０．０５＜│βＴＣ１／（βｗＣ１×Ｚ）│＜０．５０    ‥‥‥（８）
０．０５＜│βＴＣ２／（βｗＣ２×Ｚ）│              ‥‥‥（９）
０．００＜│βＴＤ１／（βｗＤ１×Ｚ）│＜０．５０    ‥‥‥（１０）
０．００＜│βＴＤ２／（βｗＤ２×Ｚ）│＜０．５０    ‥‥‥（１１）
【００５７】
次に前述の各条件式の技術的意味について説明する。条件式（１）はズーミングにおけるレンズ群Ｄ１とレンズ群Ｄ２の移動量に関する。条件式（１）の上限値を上回ると、レンズ群Ｄ２に比べてレンズ群Ｄ１の移動量が大きくなりすぎる、もしくはレンズ群Ｄ１に比べてレンズ群Ｄ２の移動量が小さくなりすぎることになる。レンズ群Ｄ１の移動量が大きくなりすぎると広角端や望遠端において前後のレンズ群と干渉しないようにレンズ群Ｄ１の前後のレンズ群間隔を広く取る必要があり、この結果、全系が大型化してくる。
【００５８】
またレンズ群Ｄ２の移動量が小さくなりすぎると、レンズ群Ｄ１とレンズ群Ｄ２のレンズ群間で像面湾曲や非点収差を補正するときの補正効果が不足してしまう。一方条件式（１）の下限値を下回ると、レンズ群Ｄ２に比べてレンズ群Ｄ１の移動量が少なすぎる、もしくはレンズ群Ｄ１とレンズ群Ｄ２がほとんど一体になって動くことになる。そうなると広角端と望遠端において像面湾曲や非点収差の補正が困難になる。またレンズ群Ｄ１とレンズ群Ｄ２間の像面湾曲や非点収差の補正効果が不足してくる。
【００５９】
条件式（２）はズーミングに際してのレンズ群Ｄ１の移動量とズーミングに際しての移動量が最大となるレンズ群（各実施例では第２レンズ群Ｌ２）の移動量との比に関する。
【００６０】
条件式（２）の上限値を上回ると、レンズ群Ｄ１の移動量が大きくなりすぎることになる。そうなると広角端や望遠端においてで前後のレンズ群と干渉しないようにレンズ群Ｄ１の前後のレンズ群間隔を広く取る必要があり、この結果、全系が大型化してくる。一方条件式（２）の下限値を下回ると、レンズ群Ｄ１の移動量が少なすぎることになる。そうなると広角端と望遠端において像面湾曲や非点収差をバランス良く補正するのが難しくなり、例えば、広角端で補正不足となるか望遠端で過補正となる。
【００６１】
条件式（３）はズーミングに際してのレンズ群Ｃ１とレンズ群Ｃ２のレンズ群間隔の最大値に関する。条件式（３）の上限値を上回ると、広角端と望遠端以外でのズーム位置でレンズ群Ｃ１とレンズ群Ｃ２の間隔が広くなりすぎる。もしくはレンズ群Ｃ１とレンズ群Ｃ２の間隔が広角端に比べて望遠端において広くなりすぎることになる。広角端と望遠端以外でのズーム位置でレンズ群Ｃ１とレンズ群Ｃ２の間隔が広くなりすぎると、ズーミング中に前後のレンズ群と干渉しないようにレンズ群Ｃ１とレンズ群Ｃ２の前後の群間隔を広く取る必要があり、この結果、全系が大型化してくる。
【００６２】
レンズ群Ｃ１とレンズ群Ｃ２の間隔が広角端に比べて望遠端で広くなりすぎると、レンズ群Ｃ１とレンズ群Ｃ２のレンズ群間の収差補正が広角端と望遠端で大きくずれてしまう。そうすると広角端と望遠端において球面収差と像面湾曲をバランスよく補正するのが難しくなる。
【００６３】
一方、条件式（３）の下限値を下回ると、ズーミング中におけるレンズ群Ｃ１とレンズ群Ｃ２のレンズ群間隔の変化が少なくなる、もしくはレンズ群Ｃ１とレンズ群Ｃ２の間隔が望遠端に比べて広角端において広くなりすぎることになる。レンズ群Ｃ１とレンズ群Ｃ２の群間隔の変化が少なくなるとズーミング中における光線の経路変化が少なくなり、レンズ群Ｃ１とレンズ群Ｃ２のレンズ群間において球面収差と像面湾曲の補正効果が弱まる。
【００６４】
またレンズ群Ｃ１とレンズ群Ｃ２の間隔が望遠端に比べて広角端において広くなりすぎると、レンズ群Ｃ１とレンズ群Ｃ２群間において広角端と望遠端における収差補正のバランスが大きくずれてしまう。そうすると広角端と望遠端において球面収差と像面湾曲をバランス良く補正するのが困難になる。
【００６５】
条件式（４）はズーミングに際してのレンズ群Ｃ１の移動量とズーミングに際しての移動量が最大となるレンズ群（各実施例では第２レンズ群Ｌ２）の移動量との比に関する。条件式（５）はズーミングに際してのレンズ群Ｃ２の移動量とズーミングに際しての移動量が最大となるレンズ群の移動量のとの比に関する。
【００６６】
条件式（４）や条件式（５）の上限値を上回ると、広角端から望遠端へのズーミングに際してのレンズ群Ｃ１やレンズ群Ｃ２の移動量が大きくなりすぎる。そうなると広角端や望遠端において前後のレンズ群と干渉しないようにレンズ群Ｃ１やレンズ群Ｃ２の前後のレンズ群間隔を広く取る必要があり、全系が大型化してくる。一方、条件式（４）や条件式（５）の下限値を下回ると、広角端から望遠端へのズーミングに際してのレンズ群Ｃ１やレンズ群Ｃ２の移動量が小さくなりすぎる。
【００６７】
そうするとレンズ群移動によるレンズ面での光線通過位置の変化が少なくなり、それによるズーミングに際しての収差変動の補正効果が低下してくる。そうなると広角端と望遠端において球面収差と像面湾曲をバランス良く補正するのが困難になる。
【００６８】
条件式（６）はレンズ群Ｃ１の屈折力に対するレンズ群Ｃ１とレンズ群Ｃ２の合成屈折力の比に関する。条件式（６）の上限値を上回ると、レンズ群Ｃ１の屈折力が、レンズ群Ｃ１とレンズ群Ｃ２の合成屈折力に対して強くなりすぎる。そうするとレンズ群Ｃ１より球面収差が多く発生し、レンズ群Ｃ１とレンズ群Ｃ２とのレンズ群間において球面収差と像面湾曲をバランス良く補正するのが困難になる。
【００６９】
一方、条件式（６）の下限値を下回ると、レンズ群Ｃ１の屈折力が、レンズ群Ｃ１とレンズ群Ｃ２の合成屈折力に対して弱くなりすぎる。そうするとズーミングに際してのレンズ群Ｃ１の移動量が多くなってしまい、全系が大型化してくる。
【００７０】
条件式（７）は広角端から望遠端へのズーミングに際して最も大きく減倍作用をするレンズ群に関しての減倍量に関する。条件式（７）の上限値を上回ると、ズーミングに際して移動する全てのレンズ群で減倍量が少なく、効率的に変倍ができていることになる。しかしながらそうするとズーミングに際して移動するレンズ群のレンズ群間において像面湾曲や非点収差が多く残留してこれらの収差が補正不足となる。一方、条件式（７）の下限値を下回ると、所望の変倍量が得られなくなるため下限値を下回ることはない。
【００７１】
条件式（８）〜（１１）は各々レンズ群Ｃ１、レンズ群Ｃ２、レンズ群Ｄ１、レンズ群Ｄ２の変倍分担量に関する。条件式（８）〜（１１）の上限値を上回ると、それぞれのレンズ群の変倍分担量が増えて変倍効率を上げることができる。しかしながらこれは必ずしも収差補正が有利になる移動方向と一致するとは限らない。例え一致したとしても変倍効率を向上しつつ収差補正をバランス良く行うのが困難になる。
【００７２】
そうなると少なからず各レンズ群におけるレンズ群間で、球面収差、像面湾曲そして非点収差が残留してきて、これらの収差が補正不足となる。従って収差補正を優先したレンズ群の移動とはならないので好ましくない。
【００７３】
一方条件式（８）、（９）の下限値を下回ると、レンズ群Ｃ１とレンズ群Ｃ２の増倍効果が弱くなりすぎる、もしくは減倍効果が強くなりすぎる。そうすると所望のズーム比を得るために他のレンズ群で大きな増倍効果を得なければならなくなり、結果的に増倍させるレンズ群における収差が補正不足となる。特に球面収差、像面和曲そして非点収差が残存してしまうため好ましくない。また、条件式（１０）、（１１）の下限値を下回ると、仕様の変倍量が得られなくなるため下限値を下回ることはない。尚、更に好ましくは条件式（１）乃至条件式（１１）の数値範囲を次の如く設定するのが良い。
【００７４】
１．５＜│ＭＤ１／ＭＤ２│＜１７．０                  ‥‥‥（１ａ）
０．０３＜│ＭＤ１／Ｍ２│＜  ０．４０                ‥‥‥（２ａ）
０．０７＜│ＭａｘＣ１２／（Ｍ２×Ｃ１２ｗ／Ｃ１２ｔ）│＜０．３０
‥‥‥（３ａ）
０．０２０＜│ＭＣ１／Ｍ２│＜０．１５０              ‥‥‥（４ａ）
０．０２０＜│ＭＣ２／Ｍ２│＜０．１５０              ‥‥‥（５ａ）
１．０＜│φＣ１／φＣ１２│＜２．０                  ‥‥‥（６ａ）
０．００＜│βＴｄ／（βｗｄ×Ｚ）│＜０．１０        ‥‥‥（７ａ）
０．０５＜│βＴＣ１／（βｗＣ１×Ｚ）│＜０．３０    ‥‥‥（８ａ）
０．０８＜│βＴＣ２／（βｗＣ２×Ｚ）│              ‥‥‥（９ａ）
０．００＜│βＴＤ１／（βｗＤ１×Ｚ）│＜０．２５    ‥‥‥（１０ａ）
０．００＜│βＴＤ２／（βｗＤ２×Ｚ）│＜０．２０    ‥‥‥（１１ａ）
【００７５】
以上のように各実施例によれば広角端や望遠端だけでなく、広角端と望遠端以外のズーム位置でも像面湾曲や非点収差のズーム変動が少なく、全ズーム域で像面湾曲や非点収差を低減した高画質なズームレンズが得られる。
【００７６】
次に各実施例における詳細な構成について説明する。図１の実施例１のズームレンズＬ０は、物体側から像側へ順に、正の屈折力の第１レンズ群Ｌ１と、負の屈折力の第２レンズ群Ｌ２と、負の屈折力の第３レンズ群Ｌ３を有している。更に正の屈折力の第４レンズ群Ｌ４と、正の屈折力の第５レンズ群Ｌ５と、正の屈折力の第６レンズ群Ｌ６を有している。
【００７７】
広角端から望遠端へのズーミングに際して、第２レンズ群Ｌ２から第６レンズ群Ｌ６までのレンズ群が互いに異なった軌跡で移動する。具体的には第２レンズ群Ｌ２は光軸上を像側へ移動している。第３レンズ群Ｌ３と第４レンズ群Ｌ４は、広角端でのレンズ群の位置を基準としたときに、望遠端において物体側に移動している。
【００７８】
その移動軌跡は一度物体側へ移動した後に、像側へ戻るような物体側に凸状の軌跡で移動している。また第５レンズ群Ｌ５は物体側へ移動している。そして第６レンズ群Ｌ６は広角端でのレンズ群の位置を基準としたときに、望遠端において物体側に移動している。その移動軌跡は一度物体側へ移動した後に、像側へ戻るような物体側に凸状の軌跡で移動している。
【００７９】
本実施例では広角端において軸上最大光束径を決定している開口部ＳＰは開口絞りに対応しており、開口絞りＳＰは第３レンズ群Ｌ３と第４レンズ群Ｌ４の間に設けている。そして開口絞りＳＰはズーミングに際して第４レンズ群Ｌ４と一体となって移動している。
【００８０】
尚、無限遠物体から有限距離物体へのフォーカシングは第１レンズ群Ｌ１を構成する一部の部分レンズ群（最も物体側から５枚目のレンズから７枚目のレンズまで）を像面側へ移動させることで行なっている。また本実施例では第３レンズ群Ｌ３がレンズ群Ｃ１に、第４レンズ群Ｌ４がレンズ群Ｃ２に、第５レンズ群Ｌ５がレンズ群Ｄ１に、第６レンズ群Ｌ６がレンズ群Ｄ２に対応している。
【００８１】
図２（Ｂ）の中間のズーム位置での縦収差図は、全系の焦点距離が５．７６ｍｍの時の縦収差図である。図３の実施例２のズームレンズＬ０は、物体側から像側へ順に、正の屈折力の第１レンズ群Ｌ１と、負の屈折力の第２レンズ群Ｌ２と、負の屈折力の第３レンズ群Ｌ３と、正の屈折力の第４レンズ群Ｌ４と、正の屈折力の第５レンズ群Ｌ５を有している。
【００８２】
広角端から望遠端へのズーミングに際して、第２レンズ群Ｌ２から第５レンズ群Ｌ５までのレンズ群が互いに異なった軌跡で移動する。具体的には第２レンズ群Ｌ２が光軸上を像側へ移動している。第３レンズ群Ｌ３〜第５レンズ群Ｌ５は、広角端でのレンズ群の位置を基準としたときに、望遠端において物体側に移動している。その移動軌跡は一度物体側へ移動した後に、像側へ戻るような物体側に凸状の軌跡で移動している。
【００８３】
本実施例では広角端において軸上最大光束径を決定している開口部ＳＰは開口絞りに対応しており、開口絞りＳＰは第３レンズ群Ｌ３と第４レンズ群Ｌ４の間に設けている。そして開口絞りＳＰはズーミングに際して第４レンズ群Ｌ４と一体となって移動している。
【００８４】
尚、無限遠物体から有限距離物体へのフォーカシングは第１レンズ群Ｌ１を構成する一部の部分レンズ群（最も物体側から５枚目のレンズから７枚目のレンズまで）を像面側へ移動させることで行なっている。また本実施例では第３レンズ群Ｌ３がレンズ群Ｃ１に、第４レンズ群Ｌ４がレンズ群Ｃ２とレンズ群Ｄ１を兼ねており、第５レンズ群Ｌ５がレンズ群Ｄ２に対応している。
【００８５】
図４（Ｂ）の中間ズーム位置での縦収差図は、全系の焦点距離が５．７５ｍｍの時の縦収差図である。図５の実施例３のズームレンズＬ０の各レンズ群の屈折力配置は、実施例１と同じである。
【００８６】
広角端から望遠端へのズーミングに際して、第２レンズ群Ｌ２から第６レンズ群Ｌ６までのレンズ群が互いに異なった軌跡で移動する。具体的には第２レンズ群Ｌ２が光軸上を像側へ移動している。第３レンズ群Ｌ３と第４レンズ群Ｌ４は、広角端でのレンズ群の位置を基準としたときに、望遠端において物体側に移動している。その移動軌跡は一度物体側へ移動した後に、像側へ戻るような物体側に凸状の軌跡で移動している。また第５レンズ群Ｌ５と第６レンズ群Ｌ６は物体側へ移動している。
【００８７】
本実施例では広角端において軸上最大光束径を決定している開口部ＳＰは開口絞りに対応しており、開口絞りＳＰは第３レンズ群Ｌ３と第４レンズ群Ｌ４の間に設けている。そして開口絞りＳＰはズーミングに際して第４レンズ群Ｌ４と一体となって移動している。
【００８８】
尚、無限遠物体から有限距離物体の物体へのフォーカシングは第１レンズ群Ｌ１を構成する一部の部分レンズ群（最も物体側から５枚目のレンズから７枚目のレンズまで）を像面側へ移動させることで行なっている。また本実施例では第３レンズ群Ｌ３がレンズ群Ｃ１に、第４レンズ群Ｌ４がレンズ群Ｃ２に、第５レンズ群Ｌ５がレンズ群Ｄ１に、第６レンズ群Ｌ６がレンズ群Ｄ２に対応している。
【００８９】
図６（Ｂ）の中間のズーム位置での縦収差図は、全系の焦点距離が５．７８ｍｍの時の縦収差図である。図７の実施例４のズームレンズＬ０の各レンズ群の屈折力配置は実施例１と同じである。広角端から望遠端へのズーミングに際して、第２レンズ群Ｌ２から第６レンズ群Ｌ６までのレンズ群が互いに異なった軌跡で移動する。具体的には第２レンズ群Ｌ２が光軸上を像側へ移動している。第３レンズ群Ｌ３〜第６レンズ群Ｌ６は、広角端でのレンズ群の位置を基準としたときに、望遠端では物体側に移動している。その移動軌跡は一度物体側へ移動した後に、像側へ戻るような物体側へ凸状の軌跡で移動している。
【００９０】
本実施例では広角端において軸上最大光束径を決定している開口部ＳＰは、第３レンズ群Ｌ３の最も物体側のレンズ外径に対応している。尚、無限遠物体から有限距離物体へのフォーカシングは第１レンズ群Ｌ１を構成する一部の部分レンズ群（最も物体側から５枚目のレンズから７枚目のレンズまで）を像面側へ移動させることで行なっている。また本実施例では第３レンズ群がレンズ群Ｃ１に、第４レンズ群がレンズ群Ｃ２に、第５レンズ群がレンズ群Ｄ１に、第６レンズ群がレンズ群Ｄ２に対応している。
【００９１】
図８（Ｂ）の中間ズーム位置での縦収差図は、全系の焦点距離が５．７７ｍｍの時の縦収差図である。尚、各実施例においてはフォーカシング機能を有するレンズの位置や光学防振機能の付加など、その要旨の範囲内で種々の変形及び変更が可能である。
【００９２】
図９は実施例１〜４のズームレンズを撮影光学系として用いた撮像装置（テレビカメラシステム）の要部概略図である。図９において１０１は実施例１〜４のいずれか１つのズームレンズである。１２４はカメラである。ズームレンズ１０１はカメラ１２４に対して着脱可能になっている。１２５はカメラ１２４にズームレンズ１０１を装着することにより構成される撮像装置である。１１４、１１５は各々各レンズ群を光軸方向に駆動するヘリコイドやカム等の駆動機構である。
【００９３】
１１６、１１７は駆動機構１１４、１１５及び開口絞り（不図示）を電動駆動するモータ（駆動手段）である。図９は不図示であるが各レンズ群の光軸上の位置や、開口絞りの絞り径を検出する為のエンコーダやポテンションメータ、あるいはフォトセンサ等の検出器が設けられている。１０９はカメラ１２４内の光学フィルタや色分解プリズムに相当するガラスブロック、１１０はズームレンズ１０１によって形成された被写体像を受光するＣＣＤセンサやＣＭＯＳセンサ等の固体撮像素子（光電変換素子）である。
【００９４】
また１１１、１２２はカメラ１２４及びズームレンズ本体１０１の各種の駆動を制御するＣＰＵである。このように本発明のズームレンズをテレビカメラに適用することにより、高い光学性能を有する撮像装置を実現している。
【００９５】
以下に本発明の実施例１〜４に対応する数値実施例１〜４を示す。各数値実施例において、ｉは物体側からの面の順序を示し、ｒｉは物体側より第ｉ番目の面の曲率半径、ｄｉは物体側より第ｉ番目と第ｉ＋１番目の間隔、ｎｄｉとνｄｉは第ｉ番目の光学部材の屈折率とアッベ数である。焦点距離、Ｆナンバー、画角（度）はそれぞれ無限遠物体に焦点を合わせたときを示している。
【００９６】
非球面形状は光軸方向にＸ軸、光軸と垂直方向にＨ軸、光の進行方向を正、Ｒを近軸曲率半径、ｋを離心率、Ａ４、Ａ６、Ａ８、Ａ１０、Ａ１２を各々非球面係数としたとき、
【００９７】
【数１】
2014010282.tif 000003
【００９８】
なる式で表している。また例えば「ｅ−Ｚ」の表示は「１０−Ｚ」を意味する。そして、前述の各条件式と数値実施例における諸数値との関係を（表１）に示す。また、前述の各条件式の計算に必要な数値実施例における諸数値を（表２）に示す。
【００９９】
（数値実施例１）
f= 1.00〜11.50mm  Fno=1.84〜2.00  ２ω=75.9〜7.76
面番号         r        d      nd         νd       有効径
1           11.399    0.37   1.73400    51.5       14.30
2            7.598    3.60                         12.49
3          406.719    0.32   1.69680    55.5       12.11
4           17.310    2.09                         11.42
5          -16.825    0.31   1.65160    58.5       11.36
6           30.152    0.02                         11.41
7           19.219    1.27   1.80518    25.4       11.52
8          -96.668    0.78                         11.49
9          -25.953    0.54   1.49700    81.5       11.39
10          -19.233    0.19                         11.37
11         -157.627    1.99   1.49700    81.5       10.98
12           -9.300    0.35   1.73800    32.3       10.90
13          -13.807    1.73                         10.90
14           60.247    0.37   1.72342    38.0        9.78
15           10.373    1.68   1.49700    81.5        9.78
16          -64.280    0.02                          9.83
17           15.449    1.61   1.43387    95.1       10.08
18          -21.085    0.02                         10.07
19           14.253    0.73   1.59282    68.6        9.68
20           41.853  (可変)                          9.61
21(非球面)  -47.079    0.29   1.43875    94.9        5.17
22            3.244    0.97                          4.11
23(非球面) 3876.803    0.19   1.43875    94.9        4.06
24            3.956    0.48                          3.85
25           27.754    0.80   1.63980    34.5        3.86
26           -3.418    0.19   1.59282    68.6        3.86
27           51.776    0.27                          3.85
28(非球面)   -7.550    0.37   1.48749    70.2        3.85
29           -5.296    0.24   1.80809    22.8        3.85
30           -7.619  (可変)                          3.90
31           -9.300    0.17   1.77250    49.6        3.40
32           17.959    0.28   1.84666    23.9        3.50
33        19665.136  (可変)                          3.55
34(絞りＳＰ)  ∞       0.15                          3.64
35(非球面)    6.901    0.70   1.67003    47.2        3.82
36           -7.564    0.19   1.49700    81.5        3.83
37            4.257    0.09                          3.83
38            4.368    0.85   1.48749    70.2        3.87
39          -10.598    0.18   1.90200    25.1        3.87
40          -18.977  (可変)                          3.90
41         -321.300    0.55   1.80809    22.8        4.04
42           -6.495    0.02                          4.07
43           -8.666    0.19   1.90200    25.1        4.03
44            4.900    0.87   1.49700    81.5        4.07
45          -13.504    0.02                          4.16
46           18.057    0.29   1.80809    22.8        4.26
47         -114.482  (可変)                          4.28
48            6.763    1.07   1.49700    81.5        4.34
49           -5.512    0.18   1.90200    25.1        4.30
50           40.076    0.02                          4.34
51           14.252    0.65   1.80809    22.8        4.37
52           -9.434  (可変)                          4.36
53            ∞       4.87   1.69680    55.5        3.77
54            ∞       1.85   1.51633    64.1        2.52
55            ∞                                     1.99
像面          ∞   
【０１００】
非球面データ
第21面
K = 2.32405e+002  A 4= 1.13029e-003  A 6= 3.20226e-004  A 8=-3.94467e-005
A10= 2.76116e-006  
第23面
K =-8.88662e+011  A 4=-5.25856e-003  A 6=-1.45412e-003  A 8= 2.77227e-005
A10= 7.18178e-006  
第28面
K =-6.33115e+000  A 4= 3.73355e-003  A 6= 8.39469e-004  A 8=-5.48275e-007
A10=-5.31597e-006  
第35面
K =-8.19897e+000  A 4= 1.83639e-003  A 6=-1.70252e-004  A 8= 7.46824e-006  
各種データ
ズーム比     11.50 
焦点距離     1.00  1.32  1.86  2.82  4.87  5.76  6.97  8.70  10.19  11.50
Fナンバー    1.84  1.86  1.87  1.89  1.90  1.91  1.91  1.91   1.92   2.00
半画角（度）37.94 30.50 22.75 15.43  9.10  7.70  6.38  5.12   4.38   3.88
像高         0.78  0.78  0.78  0.78  0.78  0.78  0.78  0.78   0.78   0.78
レンズ全長  55.44 55.44 55.44 55.44 55.44 55.44 55.44 55.44  55.44  55.44
BF           0.97  0.97  0.97  0.97  0.97  0.97  0.97  0.97   0.97   0.97
d20          0.39  2.50  4.66  6.93  9.37 10.00 10.66 11.32  11.73  12.01
d30         12.62  9.71  6.65  3.60  0.97  0.51  0.22  0.19   0.37   0.61
d33          0.19  0.57  0.99  1.47  1.77  1.70  1.49  1.05   0.61   0.20
d40          4.95  4.97  5.01  4.89  4.43  4.25  4.03  3.77   3.60   3.47
d47          0.21  0.60  0.98  1.35  1.72  1.81  1.90  1.99   2.04   2.07
d52          1.08  1.10  1.16  1.21  1.20  1.18  1.16  1.12   1.10   1.08
入射瞳位置  10.65 12.09 14.13 17.29 22.99 25.26 28.17 32.09  35.17  37.63
射出瞳位置  31.29 27.31 24.10 23.07 25.57 27.22 29.63 33.22  36.27  38.87
前側主点位置11.69 13.48 16.14 20.48 28.83 32.29 36.83 43.14  48.30  52.62
後側主点位置-0.03 -0.35 -0.88 -1.85 -3.90 -4.79 -5.99 -7.73  -9.21 -10.53
各群の最大移動量と最大移動時の全系焦点距離
群  最大移動量    f
2     11.62     11.50
3     -2.73      4.18
4     -1.22      3.27
5     -1.86     11.50
6     -0.13      3.44
3-4群最大間隔=1.77 (f=4.72の時)
ズームレンズ群データ
群  始面    焦点距離  レンズ構成長  前側主点位置  後側主点位置
1    1      10.66        17.99        12.95          6.97
2   21      -3.85         3.82         0.56         -2.50
3   31     -12.64         0.45        -0.01         -0.25
4   34       8.21         2.16         0.40         -1.07
5   41      37.13         1.95         2.31          1.18
6   48       8.58         1.92         0.68         -0.56
G   53       ∞           6.72         2.04         -2.04
Ｇは光学ブロックである。
【０１０１】
単レンズデータ
レンズ  始面  焦点距離
1       1    -32.23
2       3    -25.84
3       5    -16.46
4       7     19.83
5       9    145.13
6      11     19.74
7      12    -39.64
8      14    -17.27
9      15     18.05
10      17     20.78
11      19     35.98
12      21     -6.89
13      23     -9.00
14      25      4.77
15      26     -5.38
16      28     34.40
17      29    -22.33
18      31     -7.87
19      32     21.02
20      35      5.47
21      36     -5.44
22      38      6.44
23      39    -26.63
24      41      8.11
25      43     -3.41
26      44      7.33
27      46     19.12
28      48      6.27
29      49     -5.31
30      51      7.04
31      53      0.00
32      54      0.00
【０１０２】
（数値実施例２） 
f= 1.00〜11.50mm  Fno=1.84〜2.05  ２ω=75.9〜7.76
面番号          r        d      nd         νd       有効径
1            12.499    0.37   1.73400    51.5       13.95
2             7.882    3.03                         12.22
3          -586.846    0.32   1.69680    55.5       12.12
4            18.673    1.88                         11.45
5           -19.114    0.31   1.65160    58.5       11.41
6            26.551    0.02                         11.38
7            18.308    1.22   1.80518    25.4       11.47
8          -152.066    0.98                         11.44
9           -21.010    0.54   1.49700    81.5       11.34
10           -16.691    0.19                         11.33
11          -114.958    2.00   1.49700    81.5       10.88
12            -9.174    0.35   1.73800    32.3       10.79
13           -13.845    1.73                         10.79
14            75.440    0.37   1.72342    38.0        9.94
15            10.782    1.75   1.49700    81.5        9.68
16           -57.433    0.02                          9.75
17            16.076    1.75   1.43387    95.1        9.96
18           -19.289    0.02                          9.94
19            12.978    0.79   1.59282    68.6        9.56
20            37.410  (可変)                          9.48
21(非球面)   -24.210    0.29   1.43875    94.9        5.03
22             2.994    1.02                          3.95
23(非球面) 65309.889    0.19   1.43875    94.9        3.90
24             4.150    0.42                          3.75
25            21.733    0.85   1.63980    34.5        3.76
26            -3.388    0.19   1.59282    68.6        3.77
27           -31.461    0.19                          3.78
28(非球面)    -6.784    0.37   1.48749    70.2        3.77
29            -7.624    0.24   1.80809    22.8        3.76
30           -12.029  (可変)                          3.78
31            -9.092    0.17   1.77250    49.6        3.58
32            45.048    0.28   1.84666    23.9        3.69
33           -35.942  (可変)                          3.74
34(絞りＳＰ)   ∞       0.15                          3.84
35(非球面)     7.398    0.70   1.67003    47.2        4.00
36            -8.223    0.19   1.49700    81.5        4.01
37             4.345    0.04                          3.98
38             4.324    0.85   1.48749    70.2        4.01
39           -13.507    0.18   1.90200    25.1        4.00
40           -27.890  (可変)                          4.01
41           -45.397    0.55   1.80809    22.8        3.92
42            -6.370    0.02                          3.96
43            -9.049    0.19   1.90200    25.1        3.92
44             5.180    0.87   1.49700    81.5        3.96
45           -12.570    0.02                          4.06
46            14.694    0.29   1.80809    22.8        4.16
47          4010.487    0.34                          4.17
48             7.104    1.07   1.49700    81.5        4.21
49            -5.068    0.18   1.90200    25.1        4.16
50            27.415    0.02                          4.21
51            11.516    0.65   1.80809    22.8        4.25
52            -9.592  (可変)                          4.25
53             ∞       4.87   1.69680    55.5        3.69
54             ∞       1.85   1.51633    64.1        2.49
55             ∞                                     1.98
像面           ∞   
【０１０３】
非球面データ
第21面
K =-1.75707e+002  A 4= 2.56248e-003  A 6= 6.10175e-005  A 8=-2.75402e-005
A10= 3.08271e-006  A12=-4.33377e-008  
第23面
K =-8.88662e+011  A 4=-1.08297e-002  A 6=-1.16020e-003  A 8=-1.20390e-005
A10= 1.24797e-005  
第28面
K =-1.33275e+001  A 4= 2.12550e-003  A 6= 1.19289e-003  A 8=-9.61394e-006
A10=-1.52263e-005  A12= 8.75117e-007  
第35面
K =-9.55076e+000  A 4= 1.86808e-003  A 6=-1.67099e-004  A 8= 5.37407e-006
A10= 3.08933e-007  A12=-3.18322e-008  
各種データ
ズーム比     11.50 
焦点距離     1.00  1.33  1.86  2.81  4.85  5.75  6.96  8.71 10.19 11.50
Fナンバー    1.84  1.84  1.85  1.85  1.85  1.85  1.85  1.85  1.85  2.05
半画角（度）37.94 30.46 22.79 15.52  9.13  7.72  6.39  5.12  4.37  3.88
像高         0.78  0.78  0.78  0.78  0.78  0.78  0.78  0.78  0.78  0.78
レンズ全長  54.59 54.59 54.59 54.59 54.59 54.59 54.59 54.59 54.59 54.59
BF           0.98  0.98  0.98  0.98  0.98  0.98  0.98  0.98  0.98  0.98
d20          0.39  2.65  4.88  7.13  9.46 10.06 10.67 11.29 11.66 11.92
d30         12.83  9.91  6.91  3.84  1.01  0.50  0.19  0.21  0.47  0.79
d33          0.20  0.71  1.26  1.88  2.30  2.22  1.94  1.35  0.75  0.20
d40          4.19  4.30  4.44  4.56  4.59  4.58  4.56  4.53  4.50  4.48
d52          1.08  1.13  1.22  1.30  1.34  1.34  1.33  1.32  1.31  1.31
入射瞳位置  10.09 11.61 13.77 17.10  22.98  25.24  28.10  31.84  34.69  36.89
射出瞳位置  84.29 72.13 60.61 53.54  51.78  52.34  53.44  55.18  56.61  57.76
前側主点位置11.10 12.96 15.68 20.06  28.29  31.64  35.98  41.94  46.75  50.72
後側主点位置-0.02 -0.34 -0.87 -1.82  -3.87  -4.77  -5.98  -7.72  -9.21 -10.52
各群の最大移動量と最大移動時の全系焦点距離
群  最大移動量    f
2     11.52     11.50
3     -2.76      4.70
4     -0.66      4.70
5     -0.26      5.36
3-4群最大間隔=2.30 (f=4.70の時)
ズームレンズ群データ
群  始面    焦点距離  レンズ構成長  前側主点位置  後側主点位置
1    1      10.38        17.64        12.46          7.00
2   21      -3.70         3.77         0.55         -2.39
3   31     -16.86         0.45        -0.10         -0.35
4   34       9.01         2.10         0.30         -1.11
5   41       7.19         4.21         2.20         -0.49
G   53       ∞           6.72         2.04         -2.04
Ｇは光学ブロックである。
【０１０４】
単レンズデータ
レンズ  始面  焦点距離
1       1    -29.96
2       3    -25.86
3       5    -16.94
4       7     20.17
5       9    156.39
6      11     19.88
7      12    -37.79
8      14    -17.32
9      15     18.37
10      17     20.47
11      19     33.00
12      21     -6.04
13      23     -9.44
14      25      4.61
15      26     -6.40
16      28   -147.54
17      29    -26.15
18      31     -9.73
19      32     23.42
20      35      5.89
21      36     -5.67
22      38      6.80
23      39    -28.93
24      41      9.02
25      43     -3.59
26      44      7.48
27      46     18.06
28      48      6.11
29      49     -4.69
30      51      6.50
31      53      0.00
32      54      0.00
【０１０５】
（数値実施例３）
f= 1.00〜11.56mm  Fno=1.84〜2.05  ２ω=76.2〜7.76
面番号         r        d      nd         νd       有効径
1           19.050    0.37   1.73400    51.5       14.53
2            8.567    2.79                         12.47
3        -5524.561    0.32   1.69680    55.5       12.40
4           24.435    1.65                         11.93
5          -22.355    0.31   1.65160    58.5       11.89
6           37.515    0.02                         11.89
7           19.141    1.26   1.80518    25.4       11.99
8         -173.547    0.82                         11.96
9          -28.887    0.54   1.49700    81.5       11.84
10          -20.699    0.19                         11.80
11          151.093    2.06   1.49700    81.5       11.23
12          -10.330    0.35   1.73800    32.3       11.11
13          -15.867    1.86                         11.01
14           29.743    0.37   1.72342    38.0        9.41
15            9.323    1.53   1.49700    81.5        9.29
16         -637.818    0.02                          9.30
17           13.597    1.45   1.43387    95.1        9.38
18          -26.304    0.02                          9.35
19           13.026    0.55   1.59282    68.6        8.92
20           24.859  (可変)                          8.84
21(非球面) 1326.768    0.29   1.59282    68.6        4.70
22            2.838    1.25                          3.81
23           -4.985    0.20   1.59282    68.6        3.75
24           31.037    0.02                          3.79
25           20.453    0.80   1.63980    34.5        3.80
26           -3.427    0.01   1.63555    22.7        3.81  θgF=0.689
27           -4.158    0.20   1.59282    68.6        3.81
28           16.953    0.06                          3.82
29(非球面)   14.537    0.38   1.57501    41.5        3.83
30          -28.633  (可変)                          3.83
31          -10.639    0.17   1.77250    49.6        3.56
32           21.149    0.28   1.84666    23.9        3.66
33         -272.574  (可変)                          3.70
34(絞りＳＰ)  ∞       0.15                          3.82
35(非球面)    6.456    0.71   1.67003    47.2        4.01
36          -11.031    0.20   1.49700    81.5        4.02
37            4.235    0.11                          3.98
38            4.367    0.86   1.48749    70.2        4.04
39          -13.955    0.18   1.90200    25.1        4.03
40          -29.525  (可変)                          4.05
41          134.968    0.56   1.80809    22.8        4.02
42           -6.808    0.02                          4.04
43           -9.031    0.20   1.90200    25.1        4.00
44            4.775    0.88   1.49700    81.5        4.02
45          -15.728    0.02                          4.11
46           18.701    0.29   1.80809    22.8        4.20
47         -114.351  (可変)                          4.21
48            6.777    1.08   1.49700    81.5        4.26
49           -5.430    0.18   1.90200    25.1        4.21
50           30.821    0.02                          4.26
51           12.691    0.66   1.80809    22.8        4.29
52           -9.704  (可変)                          4.28
53            ∞       4.90   1.69680    55.5        3.73
54            ∞       1.86   1.51633    64.1        2.53
55            ∞                                     2.02
像面          ∞   
非球面データ
第21面
K =  2.84109e+005  A 4= 1.63521e-004  A 6=-5.72746e-005  A 8=-1.42625e-005
A10= 3.02787e-006  A12=-2.08263e-007  
第29面
K =  2.72119e+001  A 4= 2.85392e-004  A 6=-2.18756e-005  A 8=-6.63792e-006
A10=-2.24700e-007  A12=-1.95956e-007  
第35面
K = -7.55457e+000  A 4= 2.40144e-003  A 6=-2.27013e-004  A 8= 2.08390e-005
A10=-1.91208e-006  A12= 9.81961e-008  
各種データ
ズーム比     11.56 
焦点距離     1.00   1.34  1.87  2.82  4.87  5.78  7.01  8.78 10.27 11.56
Fナンバー    1.84   1.88  1.90  1.91  1.93  1.94  1.96  1.97  1.98  2.05
半画角（度）38.10  30.35 22.73 15.53  9.15  7.73  6.38  5.11  4.37  3.88
像高         0.78   0.78  0.78  0.78  0.78  0.78  0.78  0.78  0.78  0.78
レンズ全長  53.31  53.31 53.31 53.31 53.31 53.31 53.31 53.31 53.31 53.31
BF           1.08   1.08  1.08  1.08  1.08  1.08  1.08  1.08  1.08  1.08
d20          0.43   2.41  4.51  6.76  9.19  9.83 10.48 11.15 11.56  11.83
d30         13.05   9.83  6.61  3.53  0.98  0.56  0.31  0.30  0.48   0.71
d33          0.27   0.74  1.32  1.91  2.11  1.97  1.67  1.13  0.63   0.19
d40          4.32   4.31  4.30  4.17  3.81  3.67  3.51  3.33  3.20   3.11
d47          0.10   0.81  1.27  1.51  1.55  1.54  1.51  1.47  1.44   1.42
d52          1.08   1.15  1.23  1.36  1.60  1.68  1.77  1.87  1.93   1.98
入射瞳位置    9.60 11.03 13.10 16.37 22.28 24.60 27.55  31.40  34.34  36.61
射出瞳位置   90.63 51.81 41.03 40.15 51.86 60.02 74.22 103.32 141.01 191.10
前側主点位置 10.62 12.41 15.06 19.39 27.62 30.95 35.23  40.93  45.36  48.88
後側主点位置  0.08 -0.26 -0.79 -1.74 -3.79 -4.70 -5.93  -7.70  -9.19 -10.49
各群の最大移動量と最大移動時の全系焦点距離
群  最大移動量    f
2     11.40     11.56
3     -3.40      3.94
4     -1.56      3.18
5     -2.22     11.56
6     -0.90     11.56
3-4群最大間隔=2.15 (f=4.17の時)
ズームレンズ群データ
群  始面    焦点距離  レンズ構成長  前側主点位置  後側主点位置
1    1      11.08        16.49        11.69          6.21
2   21      -3.51         3.20         0.34         -2.17
3   31     -15.15         0.45        -0.02         -0.26
4   34       8.75         2.19         0.32         -1.17
5   41      40.80         1.96         2.21          1.06
6   48       8.82         1.93         0.68         -0.57
G   53       ∞           6.76         2.06         -2.06
Ｇは光学ブロックである。
【０１０６】
単レンズデータ
レンズ  始面  焦点距離
1       1    -21.43
2       3    -34.76
3       5    -21.37
4       7     21.28
5       9    143.34
6      11     19.48
7      12    -40.94
8      14    -18.80
9      15     18.45
10      17     20.84
11      19     45.21
12      21     -4.78
13      23     -7.20
14      25      4.62
15      26    -30.52
16      27     -5.59
17      29     16.73
18      31     -9.10
19      32     22.96
20      35      6.15
21      36     -6.11
22      38      6.91
23      39    -29.22
24      41      7.95
25      43     -3.41
26      44      7.45
27      46     19.71
28      48      6.23
29      49     -5.06
30      51      6.83
31      53      0.00
32      54      0.00
【０１０７】
（数値実施例４） 
f= 1.00〜11.50mm  Fno=1.84〜2.05  ２ω=75.9〜7.76
面番号           r        d      nd         νd       有効径
1             25.644    0.37   1.73400    51.5       14.62
2             14.728    1.50                         13.53
3             95.906    0.32   1.69680    55.5       13.42
4             20.618    1.77                         12.65
5            -29.608    0.31   1.69680    55.5       12.57
6             11.379    1.40   1.80809    22.8       11.96
7             31.250    3.72                         11.88
8            -42.861    1.55   1.43875    94.9       11.29
9            -11.161    0.19                         11.27
10             35.480    2.35   1.43875    94.9        9.96
11             -9.348    0.35   1.73800    32.3        9.74
12            -22.699    1.43                          9.77
13             36.247    1.30   1.43387    95.1        9.94
14            -16.496    0.02                          9.94
15             11.901    1.01   1.43387    95.1        9.52
16             66.748  (可変)                          9.44
17(非球面)    -16.528    0.29   1.43875    94.9        4.81
18              4.542    0.74                          3.99
19(非球面) -37969.174    0.19   1.43875    94.9        3.92
20              3.368    0.81                          3.58
21             -6.591    0.53   1.63980    34.5        3.58
22             -2.831    0.19   1.59282    68.6        3.60
23            -15.968    0.05                          3.73
24(非球面)    -27.116    0.37   1.48749    70.2        3.76
25             -8.207    0.24   1.80809    22.8        3.76
26             -9.090  (可変)                          3.79
27(ＳＰ)       -9.862    0.17   1.77250    49.6        3.44
28             18.554    0.28   1.84666    23.9        3.54
29           -350.197  (可変)                          3.59
30(非球面)      5.564    0.70   1.67003    47.2        4.04
31            -13.174    0.19   1.49700    81.5        4.04
32              3.977    0.03                          3.98
33              3.956    0.85   1.48749    70.2        4.00
34            -70.277    0.18   1.90200    25.1        3.99
35             73.954  (可変)                          3.98
36            105.872    0.55   1.80809    22.8        3.90
37             -5.744    0.02                          3.91
38             -7.267    0.19   1.90200    25.1        3.86
39              4.028    0.87   1.49700    81.5        3.88
40            -12.686    0.02                          3.96
41            141.645    0.29   1.80809    22.8        4.03
42            -17.629  (可変)                          4.06
43              6.307    1.07   1.49700    81.5        4.36
44             -5.934    0.18   1.90200    25.1        4.33
45             26.349    0.02                          4.37
46             14.472    0.65   1.80809    22.8        4.40
47             -8.421  (可変)                          4.40
48              ∞       4.87   1.69680    55.5        3.79
49              ∞       1.85   1.51633    64.1        2.53
50              ∞                                     1.99
像面            ∞   
【０１０８】
非球面データ
第17面
K = -4.58417e+001  A 4= 2.98573e-003  A 6= 4.25267e-004  A 8=-4.77503e-005
A10= 2.76384e-006  
第19面
K = -8.88685e+011  A 4=-1.06059e-002  A 6=-2.40310e-003  A 8= 3.05719e-004
A10= 7.18875e-006  
第24面
K =  4.51782e+001  A 4= 5.76799e-003  A 6= 6.33048e-004  A 8=-4.71469e-005
A10=-5.32113e-006  
第30面
K = -4.50787e+000  A 4= 1.63284e-003  A 6=-1.15061e-004  A 8= 6.47840e-007
各種データ
ズーム比     11.50 
焦点距離    1.00   1.32  1.85  2.82  4.87  5.77  6.97  8.70 10.18 11.50
Fナンバー   1.84   1.85  1.87  1.89  1.89  1.89  1.89  1.89  1.89  2.05
半画角（度）37.94 30.66 22.86 15.45  9.09  7.70  6.38  5.12  4.38  3.88
像高        0.78   0.78  0.78  0.78  0.78  0.78  0.78  0.78  0.78  0.78
レンズ全長 54.77  54.77 54.77 54.77 54.77 54.77 54.77 54.77 54.77 54.77
BF          0.97   0.97  0.97  0.97  0.97  0.97  0.97  0.97  0.97  0.97
d16         0.45  2.60  4.76  6.98  9.34  9.96 10.59 11.24 11.63 11.90
d26        12.58  9.90  6.85  3.67  0.91  0.45  0.19  0.24  0.48  0.79
d29         0.70  1.02  1.42  1.90  2.20  2.10  1.85  1.32  0.81  0.34
d35         3.63  3.69  3.86  3.98  3.88  3.80  3.70  3.56  3.47  3.40
d42         1.32  1.40  1.62  1.87  2.04  2.05  2.05  2.04  2.02  2.01
d47         1.08  1.15  1.26  1.35  1.39  1.39  1.38  1.36  1.34  1.33
入射瞳位置   10.22 11.65 13.60 16.44 20.93 22.66 25.03 28.76 32.29  35.62
射出瞳位置   25.21 20.21 15.30 11.88 10.71 11.20 12.53 15.86 20.57  27.16
前側主点位置 11.26 13.05 15.69 19.99 28.25 31.68 36.20 42.53 47.76  52.17
後側主点位置 -0.03 -0.34 -0.88 -1.85 -3.90 -4.79 -5.99 -7.72 -9.21 -10.52
各群の最大移動量と最大移動時の全系焦点距離
群  最大移動量    f
2     11.45    11.50
3     -2.80     4.44
4     -1.31     4.06
5     -1.04     5.77
6     -0.31     4.72
3-4群最大間隔=2.20 (f=4.58の時)
ズームレンズ群データ
群  始面    焦点距離  レンズ構成長  前側主点位置  後側主点位置
1    1      10.38        17.60        12.55          6.92
2   17      -3.84         3.43         0.39         -2.55
3   27     -13.90         0.45        -0.01         -0.26
4   30       8.59         1.96        -0.11         -1.34
5   36      54.36         1.95         3.36          2.29
6   43       8.04         1.92         0.69         -0.56
G   48       ∞           6.72         2.04         -2.04
Ｇは光学ブロックである。
【０１０９】
単レンズデータ
レンズ  始面  焦点距離
1       1    -47.61
2       3    -37.60
3       5    -11.71
4       6     21.25
5       8     33.80
6      10     17.09
7      11    -21.62
8      13     26.26
9      15     33.11
10      17     -8.07
11      19     -7.66
12      21      7.30
13      22     -5.82
14      24     23.90
15      25   -118.02
16      27     -8.27
17      28     20.62
18      30      5.90
19      31     -6.11
20      33      7.69
21      34    -39.55
22      36      6.69
23      38     -2.82
24      39      6.24
25      41     19.22
26      43      6.32
27      44     -5.31
28      46      6.60
29      48      0.00
30      49      0.00
【０１１０】
【表１】
2014010282.tif 000004
【表２】
2014010282.tif 000005
【０１１１】
以上、本発明の好ましい実施形態について説明したが、本発明はこれらの実施形態に限定されず、フォーカシング機能を有するレンズの位置や光学防振機能の付加など、その要旨の範囲内で種々の変形及び変更が可能である。
【０１１２】
このように実施例１〜４の光学系をスチルカメラ、ビデオカメラ、プロジェクター、放送用テレビカメラ等に適用することにより、高い光学性能を有するズームレンズを実現することができる。
【符号の説明】
【０１１３】
Ｌ０はズームレンズ  Ｌ１は第１レンズ群  Ｌ２は第２レンズ群  Ｌ３は第３レンズ群
Ｌ４は第４レンズ群  Ｌ５は第５レンズ群  Ｌ６は第６レンズ群  ＳＰは軸上最大光束径を決定している開口部  Ｇはプリズム  ＩＰは像面
【図１】
2014010282.tif 000006
【図２】
2014010282.tif 000007
【図３】
2014010282.tif 000008
【図４】
2014010282.tif 000009
【図５】
2014010282.tif 000010
【図６】
2014010282.tif 000011
【図７】
2014010282.tif 000012
【図８】
2014010282.tif 000013
【図９】
2014010282.tif 000014